(57)【要約】【課題】玄関子機から訪問者が所有する携帯端末へ、文字情報や画像情報などの居住者が伝えたい情報を伝送することができる。【解決手段】室内に設置される居室親機と、玄関に設置される玄関子機と、訪問者が所有する持ち運び可能な携帯端末とで構成されるインターホンシステムにおいて、居室親機または玄関子機は、不在である旨の文章や地図画像等の情報を記憶する情報記憶部と、時情報を無線で送信する情報送信部とを備え、携帯端末は、情報送信部から送信された情報を受信する情報受信部と、受信した情報を表示する情報表示部を備えたことを特徴とする。【選択図】図１
2011135273.tif 000002
【特許請求の範囲】
【請求項１】
室内に設置される居室親機（２）と、玄関に設置される玄関子機（１）と、訪問者が所有する持ち運び可能な携帯端末（３、３、・・・）とで構成されるインターホンシステムにおいて、
前記居室親機または前記玄関子機は、不在である旨の文章や地図画像等の情報を記憶する情報記憶部（２０５）と、前記情報を無線で送信する情報送信部（１０５）とを備え、
前記携帯端末は、前記情報送信部から送信された前記情報を受信する情報受信部（３０５）と、受信した前記情報を表示する情報表示部（３０１）を備えたことを特徴とするインターホン装置。
【請求項２】
前記居室親機または前記玄関子機は、前記情報記憶部に記憶された複数の前記情報の内、前記情報端末に送信する当該情報を選択し記憶する情報選択記憶部（２０６）を備えたことを特徴とする請求項１記載のインターホンシステム。
【請求項３】
前記居室親機または前記玄関子機は、不在である旨の文章や地図画像等の情報を入力する情報入力部（２０７）を備えたことを特徴とする請求項１または２項記載のインターホンシステム
【請求項４】
前記居室親機または前記玄関子機は、居住者を呼び出すための呼出操作を行ったとき、前記情報送信部から前記情報の送信を許可させる情報送信許可部（２０３１）を備えたことを特徴とする請求項１乃至３の何れか一項記載のインターホンシステム。
【請求項５】
前記居室親機または前記玄関子機は、前記情報送信部による前記情報の送信を禁止とする情報送信禁止部（２０３２）を備えたことを特徴とする請求項１乃至４の何れか一項記載のインターホンシステム。
【請求項６】
前記情報端末は、前記情報送信部から前記情報受信部に前記情報が送信された時、通知する情報通知部（３０１）を備えたことを特徴とする請求項１乃至５の何れか一項記載のインターホンシステム。
【発明の詳細な説明】
【技術分野】
【０００１】
本発明はインターホンシステムに係わり、特に玄関子機から携帯端末へ情報を伝送するインターホンシステムに関する。
【背景技術】
【０００２】
従来から、訪問者から居住者を呼び出すと、来訪者の音声と映像が室内で確認することができるインターホンシステムとして、例えば、特許文献１のインターホン装置が開示されている。
【０００３】
この装置は、居室親機を呼び出すための呼出ボタン、居室と通話するためのスピーカとマイクを備えた玄関子機と、玄関子機からの呼び出しに応答・通話を行う居室親機を備えている。この装置によると、訪問者が玄関子機の呼出ボタンを押し、居住者が応答した場合は、玄関子機と居室親機の音声通話機能を使用して、居住者の都合や電気錠解錠状態などの用件を聞くことができる。また、居住者の応答がない場合は、留守録を行なうためのメッセージが玄関子機のスピーカから出力されることがある。そのメッセージを聞くことで、訪問者は居住者が不在であるということを理解できる。さらに、玄関子機が呼出中、通話中、解錠中を示すＬＥＤを備え、ＬＥＤの表示により居住者と訪問者がどのような状態にあるのか視覚的に示すこともできる。
【先行技術文献】
【特許文献】
【０００４】
【特許文献１】特開２００７−１７４０９３公報
【発明の開示】
【発明が解決しようとする課題】
【０００５】
しかしながら、従来の音声通話機能では、高齢者や聴覚障害者などの耳が不自由な訪問者に対し正確に用件を伝えることが難しい。また、玄関子機に呼出中、通話中、解錠中を示すＬＥＤを備えていても、ＬＥＤ表示のみでは複雑な用件を伝えることができなかった。
例えば、病院や介護施設の玄関は、休日、夜間などに一つの玄関を除いて閉まることがある。閉まっている玄関に人が訪ねてきた場合、職員は音声通話機能を用いて訪問者に対し他の玄関へ移動して欲しいという用件を伝えることができる。しかし耳が不自由な訪問者だった場合、音声通話機能とＬＥＤ表示のみでは用件を伝えることができないため、職員は玄関まで赴き対面で用件を伝えなければいけなかった。
【０００６】
そこで、本発明はこのような問題点に鑑み、玄関子機から訪問者が所有する携帯端末へ、文字情報や画像情報などの居住者が伝えたい情報を伝送できるインターホンシステムを提供することを目的とする。
【課題を解決するための手段】
【０００７】
上述の目的を達成するため、本発明の第１の態様であるインターホンシステムは、室内に設置される居室親機と、玄関に設置される玄関子機と、訪問者が所有する持ち運び可能な携帯端末とで構成されるインターホンシステムにおいて、居室親機または玄関子機は、不在である旨の文章や地図画像等の情報を記憶する情報記憶部と、情報を無線で送信する情報送信部とを備え、携帯端末は、情報送信部から送信された情報を受信する情報受信部と、受信した情報を表示する情報表示部を備えたことを特徴とする。
【０００８】
また、本発明の第２の態様であるインターホンシステムは、居室親機または玄関子機は、情報記憶部に記憶された複数の情報の内、情報端末に送信する当該情報を選択し記憶する情報選択記憶部を備えたことを特徴とする。
【０００９】
また、本発明の第３の態様であるインターホンシステムは、居室親機または玄関子機は、不在である旨の文章や地図画像等の情報を入力する情報入力部を備えたことを特徴とする。
【００１０】
また、本発明の第４の態様であるインターホンシステムは、居室親機または玄関子機は、居住者を呼び出すための呼出操作を行ったとき、情報送信部から情報の送信を許可させる情報送信許可部を備えたことを特徴とする。
【００１１】
また、本発明の第５の態様であるインターホンシステムは、居室親機または玄関子機は、情報送信部による情報の送信を禁止とする情報送信禁止部を備えたことを特徴とする。
【００１２】
また、本発明の第６の態様であるインターホンシステムは、情報端末は、情報送信部から情報受信部に情報が送信された時、通知する情報通知部を備えたことを特徴とする。
【発明の効果】
【００１３】
請求項１の発明によれば、インターホン親機から携帯端末に文字情報、画像情報を送信し、表示させることができる。
請求項２の発明によれば、特定の文字情報、画像情報を選択して、携帯端末に送信し表示させることができる。
請求項３の発明によれば、携帯端末に送信する文字情報、画像情報を入力することができる。
請求項４の発明によれば、玄関子機にて呼び出し操作を行ったとき、携帯端末に文字情報、画像情報を送信し表示させることができる。
請求項５の発明によれば、携帯端末へ文字情報、画像情報を送信する機能を停止させることができる。
請求項６の発明によれば、携帯端末に文字情報、画像情報が送信された時に通知することができる。
【図面の簡単な説明】
【００１４】
【図１】本発明に係る実施形態であるインターホンシステムのブロック図である。
【発明を実施するための形態】
【００１５】
以下、本発明によるインターホンシステムを適用した好ましい形態の実施例について、図面を参照して説明する。
玄関子機１は、来訪者を撮像するためのカメラ１０１と、後述する居室親機２と通話するための子機音響部１０２と、居室親機２を呼び出すための呼出ボタン１０４と、携帯端末３、３、・・・に情報を無線送信するための情報送信部１０５と、居室親機２と通信するための子機Ｉ／Ｆ１０６と、玄関子機１を制御するための子機ＣＰＵ１０３とで構成されている。
【００１６】
居室親機２は、カメラ１０１で撮像された来訪者の映像を出力する親機モニタ２０１と、玄関子機１と通話するための親機音響部２０２と、玄関子機１からの呼び出しに応答するための通話ボタン２０４と、不在である旨の文章や地図画像等の情報を入力する情報入力部２０７と、情報入力部２０７で入力された情報を記憶する情報記憶部２０５と、情報記憶部２０５に記憶された複数の情報の内、携帯端末３、３、・・・に送信する情報を選択し記憶する情報選択記憶部２０６と、玄関子機１と通信するための親機Ｉ／Ｆ２０８と、居室親機２を制御するための親機ＣＰＵ２０３で構成されている。
親機ＣＰＵ２０３には、呼出ボタン１０４を操作したとき、情報記憶部２０５に記憶されている情報を携帯端末３、３、・・・に送信することを許可させる情報送信許可部２０３１と、情報記憶部２０５に記憶されている情報を携帯端末３、３、・・・に送信させることを禁止とさせる情報送信禁止部２０３２とで構成されている。
【００１７】
携帯端末３、３、・・・は、他の携帯端末３、３、・・・と通話するための携帯音響部３０２と、他の携帯端末３、３、・・・と通信するために操作する操作ボタン３０４と、情報送信部１０５からの情報を受信する情報受信部３０５と、情報受信部３０５で受信された情報を表示する携帯モニタ３０１と、他の携帯端末３、３、・・・と通信するための携帯端末Ｉ／Ｆ３０６と、携帯端末３、３、・・・を制御するための携帯ＣＰＵ３０３とで構成されている。
【００１８】
このように構成されたインターホンシステムについて、以下、動作を説明する。尚、玄関子機１からの呼び出し、及び呼び出しに対する居室親機２からの応答動作の説明は本発明の要部ではないので省略し、携帯端末３へ情報を表示する動作を詳細に説明する。
まず、待受け状態の時、居室親機２の情報入力部２０７にて、不在時に来訪者に連絡する旨の文章や別玄関へのルートを示した地図画像等の情報入力を行う。入力された情報は情報記憶部２０５に記憶される。例えば、情報記憶部２０５には、不在時にお知らせをする文章、当玄関が閉鎖されていることを知らせる文章、別玄関へのルートを示した地図が記憶されており、情報選択記憶部２０６によって、当玄関が閉鎖されていることを知らせる文章、別玄関へのルートを示した地図が選択されている。また、情報選択記憶部２０６にて携帯端末３の携帯モニタ３０１に表示させる情報を選択することができる。
携帯端末３、３、・・・は、他の携帯端末３、３、・・・と通話するための操作ボタン３０４を操作することによって、携帯音響部３０２で通話を行うことができる。
【００１９】
このような状態の時に、携帯端末３を所有した来訪者が、玄関子機１の呼出ボタン１０４の操作を行うと、玄関子機１と居室親機２が呼び出し状態となり、親機ＣＰＵ２０３の情報送信許可部２０３１が情報選択記憶部２０６にて選択された情報を親機Ｉ／Ｆ２０８、子機Ｉ／Ｆ１０６、子機ＣＰＵ１０３、情報送信部１０５、情報受信部３０５、携帯ＣＰＵ３０３を介して携帯モニタ３０１に情報を表示させることができる。この情報は、当玄関が閉鎖されていることを知らせる文章や、別玄関へのルートを示した地図であり、来訪者が携帯端末３の携帯モニタ３０１を確認することによって別の玄関へ促すことができる。この場合は、情報選択記憶部２０６によって情報が２つ選択されているが、情報選択記憶部２０６で選択されていない場合は、情報記憶部２０５に記憶された全ての情報を携帯モニタ３０１に表示させることもできる。
【００２０】
また、情報送信禁止部２０３２にて情報送信が禁止設定されている場合には、情報送信を停止させることもできる。更に、情報送信禁止部２０３２にて情報送信が禁止設定状態であっても、居住者の操作によって情報記憶部２０５の情報を携帯モニタ３０１に表示させることができる。さらに不在時のときのみ、情報を携帯モニタ３０１に表示させるようにしても良い。
なお、情報記憶部２０５、情報選択記憶部２０６、情報送信許可部２０３１、情報送信禁止部２０３２を居室親機２に備えたが、玄関子機１に備えることもできる。
【００２１】
このような構成のインターホンによれば、音声による連絡が困難な場合に、情報送信を行なうことで臨機応変な対応を行なう事ができる。
【符号の説明】
【００２２】
１・・・             玄関子機
１０５・・・                情報送信部
２・・・             居室親機
２０５・・・                情報記憶部
３、３、・・・・・・           携帯端末
３０１・・・              情報表示部（携帯モニタ）
３０５・・・              情報受信部
【図１】
2011135273.tif 000003